(57)【要約】      （修正有）【課題】子機に関連付けた表示情報を表示し、子機の操作によって表示画像を制御することが可能な情報表示システムを提供する。【解決手段】無線子機と、無線子機と通信可能な通信本体とを備える。無線子機は、無線子機を特定する子機特定情報を記憶する記憶部と、通信本体に表示されている表示画像を操作する操作情報を生成する操作情報生成部と、子機特定情報及び操作情報を通信本体へ送信する送信部とを備える。通信本体は、無線子機からの信号を受信する受信部と、無線子機に関連付けられた表示画像を形成するための表示情報を予め記憶する表示情報記憶部と、表示画像を表示する表示部と、受信部が無線子機から子機特定情報を受信したとき、表示情報記憶部より子機特定情報に対応する表示情報を読み出して表示部に表示し、受信部が無線子機から操作情報を受信したとき、表示部に表示されている表示画像を操作情報に基づいて制御する表示制御部とを備える。【選択図】図４
2011119993.tif 000002
【特許請求の範囲】
【請求項１】
無線子機と、前記無線子機と通信可能な通信本体とを備える情報表示システムであって、
前記無線子機は、当該無線子機を特定する子機特定情報を記憶する記憶部と、前記通信本体の表示部に表示画像が表示されている表示画像を操作する操作情報を生成する操作情報生成部と、前記子機特定情報及び操作情報を通信本体へ送信する送信部とを備え、
前記通信本体は、前記無線子機からの送信信号を受信する受信部と、無線子機に関連付けられた表示画像を形成するための表示情報を予め記憶する表示情報記憶部と、前記表示画像を表示する表示部と、前記受信部が無線子機から子機特定情報を受信したとき、前記表示情報記憶部より子機特定情報に対応する表示情報を読み出して前記表示部に表示画像として表示し、前記受信部が無線子機から操作情報を受信したとき、前記表示部に表示されている表示画像を前記操作情報に基づいて制御する表示制御部とを備える
ことを特徴とする情報表示システム。
【請求項２】
前記無線子機は、角速度センサーまたは加速度センサーを備え、前記操作情報は、無線子機が揺動または回転運動した場合に、前記角速度センサーまたは加速度センサーから出力される情報である請求項１に記載の情報表示システム。
【請求項３】
前記表示情報記憶部は、複数の表示画像を形成するための表示情報を記憶し、前記表示制御部は、前記操作情報によって一つの表示画像から他の表示画像に変え、または連続的に表示画像を変えるように制御する請求項１または２に記載の情報表示システム。
【請求項４】
更に、外部メディアインターフェースを備え、前記外部メディアインターフェースより表示情報を取り込み、前記表示情報記憶部に前記無線子機に関連付けて記憶させる登録操作部を備える請求項１に記載の情報表示システム。
【請求項５】
前記表示情報記憶部に記憶された表示情報を、前記表示情報記憶部に前記無線子機に関連付けて記憶させる登録操作部を備える請求項１に記載の情報表示システム。
【請求項６】
前記表示情報記憶部に記憶された表示情報を、前記無線子機からの指示信号により、当該無線子機に関連付ける登録操作部を備える請求項１に記載の情報表示システム。
【請求項７】
無線子機から子機特定情報及び操作情報を受信する通信本体であって、
前記無線子機に関連付けられた表示画像を形成するための表示情報を予め記憶する表示情報記憶部と、
前記表示画像を表示する表示部と、
前記無線子機より当該無線子機を特定する子機特定情報と、前記表示部に表示されている表示画像を操作するための操作情報を無線子機から受信する受信部と、
前記受信部が、子機特定情報を受信したとき、前記表示情報記憶部より子機特定情報に対応する表示情報を読み出して前記表示部に表示画像を表示し、前記受信部が操作情報を受信したとき、操作情報に基づいて前記表示部に表示されている表示画像を制御する表示制御部とを備える
ことを特徴とする通信本体。
【請求項８】
前記無線子機に関連付けられた表示画像を形成するための表示情報を予め記憶する表示情報記憶部と、前記表示画像を表示する表示部とを備える通信本体と通信する無線子機であって、
無線子機を特定する子機特定情報を記憶する記憶部と、
前記表示部に表示された表示画像を操作する操作情報を生成する操作情報生成部と、
前記子機特定情報と、前記操作情報含む送信する送信部と
を備えることを特徴とする無線子機。
【請求項９】
無線子機を特定する子機特定情報を記憶する記憶部を備える無線子機と、無線子機に関連付けられた表示画像を形成するための表示情報を記憶する表示情報記憶部及び前記表示画像を表示する表示部を備える通信本体を用いる情報表示方法であって、
前記無線子機を使用して、
前記表示部に表示されている表示画像を操作するための操作情報を生成する操作情報生成ステップと、
前記子機特定情報及び操作情報を送信する送信ステップと
を実行し、
前記通信本体を使用して、
前記送信ステップで送信された信号を受信する受信ステップと、
前記受信ステップで子機特定情報を受信したとき、前記表示情報記憶部より子機特定情報に対応する表示情報を読み出して前記表示部に表示画像を表示し、前記受信ステップで無線子機から操作情報を受信したとき、前記操作情報に基づいて前記表示部に表示されている表示画像を制御する表示制御ステップと
を実行することを特徴とする情報表示方法。
【発明の詳細な説明】
【技術分野】
【０００１】
この発明は、子機に関連付けた情報を表示し、子機の操作によって表示画像を制御することが可能な情報表示システム、この情報表示システムに使用される通信本体及び無線子機と、情報表示方法に関する。
【背景技術】
【０００２】
表示装置は、表示画面に動画や静止画などを表示して利用させたり、観賞させたり、また電子機器の操作情報を表示して電子機器の操作を便利にしたりする。
例えば、無線子機付き通信端末においては、通信端末または子機が操作された際、通信端末及び子機に備えられた表示装置に、電話番号や相手先情報を表示させて、ダイヤル操作、発呼操作を便利、かつ確実にするように使用される。また、着信の際は、着信を報知し、相手先情報を表示するように使用される。
【０００３】
通信端末及び複数の子機からなる無線子機付き通信端末において、通信端末及び複数の子機が使用する電話番号及び相手先情報を記録した電話帳データを通信端末又は子機に記憶し、通信端末又は子機が操作された際、電話帳データを読み出して通信端末又は子機の表示装置に電話番号及び相手先情報を表示する発明が、例えば特許文献１及び２に開示されている。
【先行技術文献】
【特許文献】
【０００４】
【特許文献１】特開２００４−２２８７３０号公報
【特許文献２】特開２００５−９４４３１号公報
【発明の概要】
【発明が解決しようとする課題】
【０００５】
特許文献１及び２に開示された無線子機付き通信端末は、複数の子機を備えているが、各子機で同じ操作をした場合、同じ表示情報が表示され、通信端末または各子機に対応した情報が表示されるものではない。また、電子機器のリモコンが複数ある場合も、複数のリモコンで同じ操作をすると、同じ動作が行われる。
しかし、複数の無線子機を備える通信端末は、家庭では、子機が両親用（または父親用と母親用）、子供用（または長男用と長女用）及び祖父母用のように個人あるいは少人数単位で専用されることが多い。このように、子機が個人または少人数単位で専用される場合、各子機は、個人または少人数単位に対応した情報が表示され、また操作が行なえると、より的確な情報が表示され、また操作が行なえるので便利になり、最適なユーザ操作が実現できる。
また、会社又は事務所でも同様に、子機は各個人または２〜４人程度の小グループに割り当てられ、その個人または小グループに固有の情報を表示すると便利に使用することができる。
【０００６】
また、最近の無線子機付き通信端末は、通信端末に５型〜１０型程度の表示画面を備え、家族の写真、ペットの写真、あるいは家庭の旅行写真を表示させて、フォトスタンドのように使用される製品もある。このフォトスタンドに、個人の好みの写真を表示したり、個人の好みの操作が可能になれば、より楽しくフォトスタンドを見ることができる。
会社又は事務所では、会社情報、製品紹介、広告情報、またはスケジュールなどを表示させて使用することができる。
また、表示画面に表示する表示情報を各子機で制限したり、各子機のプライバシーを保持したり、相互の秘密保持をしたりするために、それぞれ各子機固有の情報が表示され、また操作できることが望ましい。また、リモコンの場合も各リモコンに対応して、電子機器がそれぞれ個別動作することにより、操作が便利になり、最適なユーザ操作が実現できる。
【０００７】
本発明はこのような要求に鑑み、複数の子機に関連付けた表示情報を表示し、子機の操作によって表示画像を制御することが可能な情報表示システム、この情報表示システムに使用される通信本体及び無線子機と、情報表示方法を提供するものである。
【課題を解決するための手段】
【０００８】
本発明の情報表示システムは、上記課題を解決するため、無線子機と、前記無線子機と通信可能な通信本体とを備える情報表示システムであって、前記無線子機は、当該無線子機を特定する子機特定情報を記憶する記憶部と、前記通信本体に表示されている表示画像を操作する操作情報を生成する操作情報生成部と、前記子機特定情報及び操作情報を通信本体へ送信する送信部とを備え、前記通信本体は、前記無線子機からの信号を受信する受信部と、無線子機に関連付けられた表示画像を形成するための表示情報を予め記憶する表示情報記憶部と、前記表示画像を表示する表示部と、前記受信部が無線子機から子機特定情報を受信したとき、前記表示情報記憶部より子機特定情報に対応する表示情報を読み出して前記表示部に表示画像として表示し、前記受信部が無線子機から操作情報を受信したとき、前記表示部に表示されている表示画像を前記操作情報に基づいて制御する表示制御部とを備えることを特徴とする。
【０００９】
本発明の情報表示システムは、表示情報記憶部に記憶された表示情報を、子機に関連付ける操作部を備える。また、表示情報記憶部に記憶された表示情報を、子機からの関連付け操作によって関連付けることができる。
また、本発明の情報表示システムは、子機に加速度センサーを備え、子機が左右または上下操作されると、左右または上下操作情報を生成する。また、角速度センサーを備え、子機が回転操作されると、回転操作情報を生成する。このような操作情報に基づいて表示画像を制御する。
また、本発明の情報表示システムは、子機の操作に応じて表示制御部が一つの表示画像から次の表示画像に変えるめくり操作または連続的に表示画像を変化させるスライドショー表示に制御する。
【００１０】
本発明の情報表示システムは、上記構成を有するので、子機と通信すると、その子機に関連付けられた表示情報が読み出されて表示される。従って、子機と通信することにより、その子機の好みの表示情報、例えば、家族の写真、ペットの写真あるいは風景の写真、またはスケジュールが表示される。そして、その子機を左右、上下または回転操作すると、センサーによって操作情報が生成され、その操作情報により、例えば、次の写真を表示するめくり操作または連続的に写真が変わるスライドショーに制御される。
【００１１】
また、本発明の通信本体は、別の局面では、上記課題を解決するため、無線子機から子機特定情報及び操作情報を受信する通信本体であって、前記無線子機に関連付けられた表示画像を形成するための表示情報を予め記憶する表示情報記憶部と、前記表示画像を表示する表示部と、前記無線子機より当該無線子機を特定する子機特定情報と、前記表示部に表示されている表示画像を操作する操作情報を無線子機から受信する受信部と、前記受信部が、子機特定情報を受信したとき、前記表示情報記憶部より子機特定情報に対応する表示情報を読み出して前記表示部に表示画像を表示し、前記受信部が操作情報を受信したとき、操作情報に基づいて前記表示部に表示されている表示画像を制御する表示制御部とを備えることを特徴とする。
【００１２】
更に、別の局面では、本発明は、上記課題を解決するため、前記無線子機に関連付けられた表示画像を形成するための表示情報を予め記憶する表示情報記憶部と、前記表示画像を表示する表示部とを備える通信本体と通信する無線子機であって、無線子機を特定する子機特定情報を記憶する記憶部と、前記表示部に表示された表示画像を制御する操作情報を生成する操作情報生成部と、前記子機特定情報と、前記操作情報を送信する送信部とを備えることを特徴とする。
【００１３】
また、別の局面では、本発明は、上記課題を解決するため、無線子機を特定する子機特定情報を記憶する記憶部を備える無線子機と、無線子機に関連付けられた表示画像を形成するための表示情報を記憶する表示情報記憶部及び前記表示画像を表示する表示部を備える通信本体を用いる情報表示方法であって、前記無線子機を使用して、前記表示部に表示されている表示画像を操作する操作情報を生成する操作情報生成ステップと、前記子機特定情報及び操作情報を送信する送信ステップとを実行し、前記通信本体を使用して、前記送信ステップで送信された信号を受信する受信ステップと、前記受信ステップで子機特定情報を受信したとき、前記表示情報記憶部より子機特定情報に対応する表示情報を読み出して前記表示部に表示画像を表示し、前記受信ステップで無線子機から操作情報を受信したとき、前記操作情報に基づいて前記表示部に表示されている表示画像を制御する表示制御ステップとを実行することを特徴とする。
【発明の効果】
【００１４】
本発明によれば、子機に関連付けた表示情報が表示され、子機の操作によって表示画像の制御が行なわれる情報表示システムおよび情報表示方法が提供される。
【図面の簡単な説明】
【００１５】
【図１】本発明の情報表示システムの構成図を示す。
【図２】本発明の情報表示システムの第１の使用状態説明図を示す。
【図３】本発明の情報表示システムの第２の使用状態説明図を示す。
【図４】本発明の情報表示システムを構成する通信本体のブロック図を示す。
【図５】本発明の情報表示システムに使用される所有者データマトリックスを示す。
【図６】本発明の情報表示システムに使用される表示情報データマトリックスを示す。
【図７】本発明の情報表示システムに使用される操作情報データマトリックスを示す。
【図８】本発明の情報表示システムを構成する子機のブロック図を示す。
【図９】本発明の情報表示システムのフローチャートを示す。
【図１０】本発明の情報表示システムにおいて、子機を使用したスライドショー操作のフローチャートを示す。
【図１１】本発明の情報表示システムにおいて、通信本体によって表示情報と子機の関連付け登録するフローチャートを示す。
【図１２】本発明の情報表示システムにおいて、外部メディアから取得した表示情報を通信本体によって子機に関連付け登録するフローチャートを示す。
【図１３】本発明の情報表示システムにおいて、子機によって表示情報と子機の関連付け登録するフローチャートを示す。
【発明を実施するための形態】
【００１６】
以下、本発明の情報表示システムについて図面を参照して説明する。
図１は、本発明の情報表示システムを無線子機付き通信端末に適用した場合の構成図を示す。
本発明の情報表示システムは、通信本体１００と、通信本体１００と通信可能な３つの子機２０１、２０２、及び２０３から構成される。子機の数は、１つ以上何個でもかまわない。ここで、通信本体１００は、５型〜１０型程度の表示画面１０１が主面の大部分を占めるように大型の表示部を備え、通信本体１００は操作部及び受話口（スピーカ）、送話口（マイク）を有していない。通信本体１００は操作部及び受話口、送話口を有していないため、１つの子機２０１が通信本体１００の近傍に配置され操作端末として使用される。従って、通信本体１００と子機２０１によって１つの親機を構成する。以下では、通信本体１００と子機２０１を含めて親機と言うこともある。
通信本体１００は、例えば、写真、カレンダー、時計またはスケジュールなどが表示可能な大きさである。またこのような大きさの表示部はスライドショーを表示するように使用することが可能である。写真、カレンダー、時計またはスケジュールは、通信本体１００に常時表示してもよいし、スライドショーのように所定時間で順次変化するようにしてもよい。また、本発明の情報表示システムを会社又は事務所で使用する場合は、会社情報、製品紹介、広告情報、またはスケジュールなどを表示させてもよい。
【００１７】
また、この通信本体１００は電話回線に接続されているので、ＦＡＸ送信及び受信が可能であるが、スキャナ装置及び印刷装置を備えていない。そのため、送信画像及び受信画像は、メモリ媒体によって入出力する。あるいは、通信本体１００とは別に備えられたスキャナ装置により画像を取り込み、また通信本体とは別に備えられた印刷装置により画像を印刷する。また、通信本体１００は電話回線に接続されているので、携帯電話によって撮影された画像情報を入力することが可能である。もしくは携帯電話に画像情報を出力することも可能である。
更に、通信本体１００はＬＡＮに接続され、ネットワークと通信可能であるので、ネットワークのホームページにある画像情報を利用したり、ホームページに出力したりすることが可能である。
【００１８】
図１に示した子機２０１、２０２及び２０３は、全て同じ構成であり、ダイヤルボタン２１１、十字ボタン２１２、表示部２１３、マイク２１４、スピーカ２１５を備える。また、子機内部に角速度センサー、加速度センサー及び親機１００と通信する無線通信部を備える。更に、子機はクレードル（図示しない）に収められ、クレードルから持ち上げられたときクレードルアップ信号を出力する。
子機２０１、２０２及び２０３は、それぞれ個人所有であるとする。例えば、子機２０１は母親用、子機２０２は子供用、子機２０３は祖父用である。そして、通信本体１００は、各子機それぞれに関連付けた表示情報及び操作情報を記憶している。従って、子機から子機特定信号を送信すると、その子機特定信号に基づいて表示情報が読み出され、表示画面に表示される。また、子機を操作すると、その子機からの操作信号に基づいて操作情報が読み出され、表示画面が制御される。
ここでは、子機は３つあるとして説明しているが、子機は１つ以上であればよい。以下も同様。
【００１９】
図１（ａ）は、本発明の情報表示システムが通信本体１００と、３つの子機２０１、２０２、及び２０３によって構成されることを示す。この内、通信本体１００と子機２０１は親機を構成する。図１（ａ）の通信本体１００は、待機状態にあり、表示画面１０１にスライドショー中の一画面を表示している。通信本体１００が待機状態のとき、表示画面１０１にはスライドショー中の一画面を表示する外に、電話帳、写真表示、或いはＦＡＸのような操作用のアイコンを表示している場合もある。
図１（ｂ）は、子機２０１がクレードルアップされて、通信本体１００の表示画面１０１に子機２０１に関連付けられた表示情報が表示されていることを示す。図１（ｂ）に示す表示画面１０１は、子機２０１の所有者である母親が好きなペットの写真６枚を表示している様子を示す。
同様に、図１（ｃ）は、子機２０２がクレードルアップされて、通信本体１００の表示画面１０１に子機２０２に関連付けられた表示情報が表示されていることを示す。図１（ｃ）の表示画面１０１は、子機２０２の所有者である娘の友達の写真６枚を表示している様子を示す。
また、図１（ｄ）は、子機２０３がクレードルアップされて、通信本体１００の表示画面１０１に子機２０３に関連付けられた表示情報が表示されていることを示す。図１（ｄ）の表示画面１０１は、子機２０３の所有者である祖父の孫たちの写真を表示している様子を示す。
【００２０】
また、図２は、子機２０１がクレードルアップされて、子機２０１を左右または前後など揺動操作をすると、ペットの写真を１枚めくるように変化する様子を示す。そして、図示しないが、上下または前後に揺動すると、時計、カレンダーまたはスケジュールのような別のカテゴリーの情報が表示される。左右または上下に振る速度を変えると、表示情報が変化する速度が変わる。
【００２１】
また、図３は、通信本体１００のデータ記憶部に格納された表示情報を使用してスライドショーを実施中に、例えば、子機２０１がクレードルアップされて、子機２０１を円を描くように振ると、子機２０１に関連付けられた表示情報が読み出されて、スライドショーを実施する様子を示す。図３に示した例は、母親が好きなペットの写真が１枚ずつめくられるように変化するスライドショーを示す。そして、図示しないが、円を描く方向を変えると、逆変化するようにスライドショーが表示される。また、子機を振る速度を変えると、スライドショーの変化速度が変わる。
【００２２】
このように、子機はそれぞれ個別の表示情報に関連付けられており、子機をクレードルアップすることにより、当該子機に固有の表示情報を表示させることができ、そして、子機を操作することにより、表示情報を制御することができる。勿論、当該子機固有の表示画像は、当該子機をクレードルアップしたときだけ表示され、他の子機がクレードルアップされても当該画像を表示させることはできない。これにより、親機及び各子機で利用できる表示情報を制限することができる。また、親機及び各子機のプライバシーを保持し、相互の秘密を保持することができる。
ここでは、子機をクレードルアップしたとき当該子機に対応した固有の表示情報を表示させる場合を説明したが、子機はオフフック信号及び操作ボタン信号も出力することができるので、これら信号と表示情報の関係を記憶することにより、子機のボタン操作と表示情報の関係に基づき、情報を表示することができる。
また、親機及び各子機は、共通のコマンドも有し、共通のコマンドを入力したときは、どの子機からコマンドを入力しても同じ表示情報を表示することができる。
【００２３】
＜通信本体の構成＞
図４は、本発明の情報表示システムを無線子機付き通信端末に適用した場合の通信本体１００のブロック図を示す。
通信本体１００は、例えばＣＰＵのような主制御装置１、ワーキングメモリとして使用されるＲＡＭ２、ＲＯＭ３、各子機と表示情報及び操作情報の関係を記憶するデータ記憶部４、スピーカ５、電話・ＦＡＸ制御装置６、表示部７、操作部８、画像コーデック９、メモリカード制御部１０、ＵＳＢ制御部１１、無線データ通信部１２及びネットワーク通信部１３を備え、これら各部分はバス１４により相互に通信可能である。また、電話・ＦＡＸ制御装置６は子機制御装置１５に接続される。図１では、マイク及び操作部を備えていないとして説明したが、これらは本発明の必須要件ではなく、これらを通信本体１００に備えることにより親機として使用してもよいし、通信本体１００と子機２０１をセットにして親機として使用してもよい。
【００２４】
上記主制御装置１は、ＲＯＭ３に格納されたプログラムを読み出して、通信本体１００及び子機２０１〜２０３を初期の目的とおりに動作するよう制御する。
ＲＡＭ２は、上記主制御装置１が所定の動作を実行する場合にデータ、情報等を一時的に記憶するワーキングメモリである。例えば、子機より受信した子機番号をキーワードとして、各子機と表示情報の関係を検索する検索部として使用されたり、検索結果に基づき表示情報を表示させる表示制御部として使用されたりする。また、子機より受信した操作情報に基づき、各子機と操作情報の関係を検索する検索部として使用されたり、検索結果により表示情報を制御する表示制御部として使用されたりする。
ＲＯＭ３は、本発明の情報表示システムを初期の目的とおりに動作させるプログラムデータ及びこの情報表示システムに必要な固定データを記憶する。
【００２５】
データ記憶部４は、各子機と表示情報および操作情報との関係を記憶する。
即ち、図５に示すように、子機２０１〜２０３と、各子機の所有者名の関係を示す所有者データマトリックスを記憶する。
また、図６に示すように、各子機と表示情報との関係を示す表示情報データマトリクスを記憶する。図６の表示情報データマトリクスは、表示情報記憶部として機能する。
また、図７に示すように、各子機と操作情報との関係を示す操作情報データマトリクスを記憶する。図７の操作情報データマトリクスは、操作情報記憶部として機能する。図７の操作情報データマトリックスは、各子機がそれぞれ異なる操作を行なう場合を示したが、各子機で同じ操作を行なう場合は、各子機に共通の操作関係を記憶してもよい。
図５〜図７のデータマトリクスは明示的に示すものであり、データ記憶部４の記憶状態を示すものではない。また、図５〜図７のデータマトリクスは、一例であり、任意に設定することができる。
また、データ記憶部４は、図１、図２および図３に示した写真以外に、動画、静止画及び電話帳データなども格納している。また、会社又は事務所で使用するために、会社情報、製品紹介、広告情報、またはスケジュールなどを格納してもよい。
【００２６】
図５に示す所有者データマトリックスは、子機番号と所有者の関係を記憶する。この図５は個人が所有するように個人名を記憶しているが、グループ名であったり、ニックネームであったりしてもかまわない。図５に示す田中四郎は、子機２０２と２０３を使用できることを示している。また図５の山田太郎はどの子機を使用しても構わないことを示している。
図６に示す表示情報データマトリクスは、子機番号と、表示情報の関係を示すデータマトリクスであり、図６に示すように、子機番号なしの場合は、ファイル番号１である画像ファイル名yama.jpgを記憶し、子機２０１は、画像ファイル番号２の画像ファイル名sato.jpgを記憶し、子機２０２は、画像ファイル番号３の画像ファイル名t4rou.jpgを記憶する。画像ファイル名によって、データ記憶部４に格納された静止画あるいは動画、またはデータが読み出される。
図７に示す操作データマトリックスは、子機２０１〜２０３と、左右操作、上下操作、左回転及び右回転と、表示情報の１枚めくり、スライドショー、逆スライドショー、スケジュール、カレンダー及び時計の関係を記憶する。
【００２７】
電話・ＦＡＸ制御装置６は、電話回線２１と接続され、電話またはＦＡＸ通信を制御する部分である。
音声制御部６１は、電話回線２１と各子機の間の音声信号を制御する。
ＦＡＸ制御部６２は、電話回線２１からの画像信号の受信、または電話回線２１への画像信号の出力を制御する。
この実施形態では、通信本体１００はスキャナ及び印刷装置を備えていないので、メモリカードまたはＵＳＢに接続される記憶媒体から入力された画像信号をＦＡＸ信号として送信することができる。また、ＦＡＸ信号を受信した場合、ＲＡＭ２に記憶し、ユーザの要求に応じて表示部に表示させることができる。そして、必要に応じて、メモリカードまたはＵＳＢに接続される記憶媒体に記録することができる。
信号制御部６３は、電話回線２１から受信した信号または通信本体１００から発信する信号を制御するＬＩＵ（Line Interface Unit）である。例えば、着信信号を検出したときは通信本体１００に着信表示及び着信音出力させる。またダイヤル送出信号を送出する際は、発呼信号を出力し、ダイヤル信号を電話回線２１へ送信する。また、電話回線２１より開閉信号を受信したときは、通信本体１００内の電話回路を開閉する。その外に、電話とＦＡＸ、着信と発呼が衝突していないかを検出する。
【００２８】
表示部７は、液晶表示装置７１、バックライト７２を備える。液晶表示装置７１は、５型〜１０型程度の大きさであり、いわゆるポートレートを表示できるような大きさである。液晶表示装置７１の大きさは５型〜１０型に制限される必要はなく、これ以下であってもこれ以上であってもよい。バックライト７２は、通信本体１００の操作部８が操作されると点灯し、液晶表示装置７１により情報表示状態になる。または、電話またはＦＡＸを受信すると、受信状態を表示する。この他に、ＬＥＤを備え、ＬＥＤが点灯するときは、子機の使用中であることを表示し、ＬＥＤが点灯していないときは子機の使用中でないことを表示する。
【００２９】
操作部８は、０から９までの数字と＊、＃ボタンで計１２個のダイヤルボタンと、外線発信のための外線ボタン、短縮ダイヤル登録のための登録ボタン、短縮ダイヤル発信のための短縮ボタン、前回ダイヤルした電話番号を再度ダイヤルするためのリダイヤルボタン及び十字ボタンなどのキーボタン８１及びキー制御部８２を備える。キーボタン８１によって、通信本体１００の操作を可能にする。また、液晶表示装置７１の前面にタッチパネル８３が配置され、タッチパネル８３を使用して操作された場合、タッチパネル制御部８４によって操作位置が検出され、操作位置に対応した操作信号を生成し、通信本体１００の操作を可能にする。
画像コーデック９は、画像信号の圧縮・伸張を行なうソフトウエアであり、Ｇ３、Ｇ４ファクシミリの画像圧縮・伸張に用いられる。図示しないが、音声信号の符号化・復号化のために、ＩＳＤＮの音声通信用Ｇ．７１１コーデックなどの音声コーデックを備えてもよい。
【００３０】
メモリカード制御部１０は、通信本体１００に備えられたメモリカード接続部１０１にメモリカードが挿入されたとき、メモリカードを検出し、メモリカードに記録された情報を取り込み、信号処理する。或いは、通信本体１００のＲＡＭ２またはデータ記憶部４に記憶するデータ、または電話回線２１より受信した情報をメモリカードに書き込む。
ＵＳＢ制御部１１は、通信本体１００に備えられたＵＳＢ接続部１１１にＵＳＢが接続されたとき、ＵＳＢを検出し、ＵＳＢに接続される機器、例えば、外付けハードディスク、ＤＶＤ，ＣＤより情報を取り込み、信号処理する。或いは、通信本体１００のＲＡＭ２またはデータ記憶部４に記憶するデータ、または電話回線２２より受信した情報をＵＳＢ接続部１１１に接続される機器へ送る。
無線データ通信制御部１２は、通信本体１００及び子機以外の機器との通信を可能にする制御部である。例えば、無線データ通信のためBluetooth,IrDA,IrSS,またはIrSimple機能を備え、画像データや電話帳データ、その他データの送受信に利用される。
ネットワーク通信部１３は、RJ-45、有線ＬＡＮ通信、またはＷｉＦｉなど無線ＬＡＮ通信機能を備え、LAN２２により、内部ネットワークまたは外部ネットワークと通信し、画像情報または音楽情報を取得または出力する。
【００３１】
子機制御装置１５は、子機無線通信部１５１と、子機無線コマンド制御部１５２を備える。
子機無線通信部１５１は、通信本体１００と子機２０１、２０２または２０３間の無線通信を制御する。
子機無線コマンド制御部１５２は、子機との通信信号を解析して、どの子機がクレードルアップもしくは通信回線捕捉状態（即ち、オフフック）に移行したかを検出して、電話・ＦＡＸ制御装置６とデータの送受信を行なう。即ち、子機特定情報を検出し、また、子機から送信された操作コマンドを検出する。
【００３２】
＜子機の構成＞
図８は、子機２０１、２０２および２０３のブロック図を示す。なお、子機２０１〜２０３は同じ構成であるので、子機２０１のブロック図のみを示す。
子機２０１は、子機を制御する主制御装置３１、ＲＯＭ３２、ＲＡＭ３３、スピーカ３４、マイク３５、表示部３６、操作部３７、充電制御部３８、データ制御部３９、無線制御部４０、角速度センサー４１および加速度センサー４２を備える。
【００３３】
主制御装置３１は、ＲＯＭ３２に格納されたプログラムを読み出して、子機２０１を初期の目的とおりに動作するよう制御する。
ＲＯＭ３２は、子機２０１を初期の目的とおりに動作させるプログラムデータ及びこの子機に必要な固定データを記憶する。
ＲＡＭ３３は、子機２０１が所定の動作を実行する場合にデータ、情報等を一時的に記憶するワーキングメモリである。
スピーカ３４は、受話器であり、マイクロホン３５は送話器である。
表示制御部３６は、液晶表示装置３６１、バックライト３６２の表示を制御する。
【００３４】
操作部３７は、０から９までの数字と＊、＃ボタンで計１２個のダイヤルボタンと、外線発信のための外線ボタン、短縮ダイヤル登録のための登録ボタン、短縮ダイヤル発信のための短縮ボタン、前回ダイヤルした電話番号を再度ダイヤルするためのリダイヤルボタン及び十字ボタンなどのキーボタン３７１及びキー制御部３７２を備える。これらキーボタン３７１によって、子機２０１の操作を可能にする。
充電制御部３８は、子機２０１の二次電池（図示しない）の過充電を防止し、充電を制御する部分である。
データ記憶部３９は、子機２０１の識別情報を記憶する。
無線制御装置４０は、無線通信部４０１と、無線コマンド制御部４０２を備える。
無線通信部４０１は、通信本体１００との無線通信を制御する。
無線コマンド制御部４０２は、データ記憶部３９より読み出した子機２０１の識別情報、及び操作部３７により生成された操作コマンドまたは各速度センサー４１あるいは加速度センサー４２の検出出力より得えられる操作情報を、通信信号として無線通信部４０１により通信本体１００へ送信する。ここでは、子機２０１の識別情報、操作コマンド、または操作情報を通信信号として送信するが、その他の情報、信号を含んでいても構わない。
【００３５】
角速度センサー４１は、子機２０１の回転方向および回転速度を検出して、無線コマンド制御部４０２により、角速度情報を生成し、無線通信部４０１により、操作コマンドを通信本体１００へ送信する。回転方向は右回転または左回転を検出する。また、回転速度は１秒間あたりの速度を検出する。しかし、回転方向および回転速度は必須でなく、角速度センサー４１が回転を検出したか、検出していないかの信号を出力するだけでもよい。
加速度センサー４２は、子機２０１の左右方向または前後方向、および上下方向の移動速度を検出する。更には、斜め方向の移動速度を検出してもよい。しかし、左右方向および上下方向の移動速度検出は、必須でなく、左右方向または上下方向のいずれか一方だけを検出してもよいし、また移動速度を検出しなくてもよい。
【００３６】
＜情報表示システムの動作＞
本発明の情報表示システムは、図４〜図８のように構成され、図２および図３のように使用される。以下には、本発明の情報表示システムの動作を、図９〜図１３に示すフローチャート図とともに説明する。
なお、情報表示システムは、無線子機付き通信端末、即ち、親子電話に適用された場合、親機による電話およびＦＡＸの送受信、子機による電話の送受信、親機と子機間の通話、子機間の通話が行なえるが、本発明の主旨ではないので、ここでは説明を省略し、本発明の主旨である、各子機に関連付けた情報表示および操作について説明する。
【００３７】
先ず、通信本体１００の動作を図９のフローチャートにより説明する。
ステップＳ１は、通信本体１００が子機２０１〜２０３のいずれかからの無線通知を受ける待機状態にある。待機状態では、通信本体１００は、例えば、データ記憶部４に格納している表示情報を使用して、図１（ａ）に示すようにスライドショー中の一画面を表示している。この図１（ａ）に示す表示の外に、電話帳、写真表示、或いはＦＡＸのような操作用のアイコンを表示している場合もある。ステップＳ２は、子機２０１〜２０３のいずれかからコマンドを受信したか否か判断する。子機２０１〜２０３のいずれかからもコマンド受信がなければ、ステップＳ１に戻る。いずれかの子機からのコマンドを受信した場合は、ステップＳ３に移行し、子機コマンドをチェックする。即ち、子機コマンドには、子機を特定する各子機固有の識別番号のような情報、子機のクレードルアップ、オフフックのような子機の状態情報、および子機を左右または回転操作したときの操作コマンド、または操作ボタンによって入力されたコマンドのような子機操作情報が含まれている。この発明の実施形態では、子機のクレードルアップ状態が当該子機の写真一覧表示を起動させる信号であり、子機を左右に振る操作が写真を１枚めくる信号であり、子機を回転する操作がスライドショーを実施する信号である。
次に、ステップＳ４では、子機コマンドに当該子機の写真を一覧表示するコマンドを受信したかどうか判断する。Ｙｅｓであれば、ステップＳ５に進み、表示情報と子機番号の照合を行なう。つまり、図６に示した表示情報データマトリックスに基づいて、該当する子機の表示情報を読み出す。例えば、子機２０１の子機番号を認識したときは、情報ファイル名sato.jpgを読み出す。そして、ステップＳ６では、ステップＳ５で読み出した表示情報、例えば写真を一覧表示する。
【００３８】
上記ステップＳ４において、Ｎｏの場合は、ステップＳ７に移行し、操作コマンドを受信したか否か判断する。操作コマンドを受信しなければ、ステップＳ１に戻る。しかし、操作コマンドを受信すると、ステップＳ８に移行し、その操作コマンドは、左右操作か、回転操作かを判断する。左右操作であれば、ステップＳ９に進み、左右操作に設定された表示情報の操作、例えば１枚めくりを実施する。１枚めくりの速さは、左右操作の速度に対応させる。上記ステップＳ８で、回転操作であると判断された場合は、ステップＳ１０に進み、回転操作に設定された表示情報の操作、例えばスライドショーを実施する。このときのスライドショーの画像変化速度は、回転操作の速度に対応させる。ステップＳ９、Ｓ１０の表示情報は、ステップＳ１の待機状態のときの表示情報である。待機状態と同様に、通信本体１００は、データ記憶部４に格納している表示情報を使用して、図１（ａ）に示すようにスライドショー中の一画面を表示する。または、電話帳、写真表示、或いはＦＡＸのような操作用のアイコンを表示する。
【００３９】
以上のような、通信本体１００の動作に対して、子機はステップＳ１１では待機状態にある。即ち、子機の待機状態はクレードルに収納されている状態である。次に、ステップＳ１２では、子機がクレードルから持ち上げられると、クレードルアップ信号が出力される。この実施形態では、クレードルアップ信号は、通信本体１００の表示部に写真を一覧表示させる操作の起動信号となる。次のステップＳ１３は通信本体１００へコマンドを通知する無線通知である。この無線通知の際、子機の固有情報である子機識別情報と、写真の一覧表示の起動信号を含める。
【００４０】
そして、ステップＳ２１では通信本体１００の表示部に写真一覧表示操作状態である。つまり、上記ステップＳ１３により、通信本体１００は、写真一覧表示中である。次のステップＳ２２で、子機が左右あるいは上下に操作され、または回転操作されると、加速度センサー４２または角速度センサー４１から操作信号が出力される。しかし、子機が操作されない場合は、加速度センサー４２または角速度センサー５１から操作信号が出力されないので、ステップＳ２１に戻る。
加速度センサー４２または角速度センサー４１から操作信号が出力されると、ステップＳ２３では、その操作信号は、有効なジェスチャー操作かどうか判断される。Ｎｏであれば、ステップＳ２１に戻る。Ｙｅｓであれば、ステップＳ２４に進み、操作信号は左右あるいは上下操作による信号か、回転操作による信号かを判断する。即ち、加速度センサー４２からの出力であれば、左右あるいは上下操作であると判断し、角速度センサー４１からの出力であれば、回転操作であると判断する。
次に、ステップＳ２５では、加速度センサー４２または角速度センサー４１からの出力信号を操作コマンドに変換し、同時に子機の固有情報である子機識別情報と、子機の状態情報を付加する。これらのコマンドをステップＳ２６で通信本体１００へ送信する。加速度センサー４２または角速度センサー４１によって、操作速度が検出される場合は、操作速度情報も含めて操作コマンドとする。また、左右方向あるいは上下方向、または正回転方向あるいは逆回転方向が検出される場合は、これら情報も含めて操作コマンドとして送信する。
【００４１】
＜子機を使用したスライドショー操作＞
次に、子機に関連付けられた表示情報によってスライドショーを実施する動作を、図１０のフローチャートにより説明する。
ステップＳ３１では、通信本体１００は、データ記憶部４に格納している表示情報を使用してスライドショーを実施している状態にある。次に、ステップＳ３２は、子機２０１〜２０３のいずれかからコマンドを受信したか否か判断する。Ｎｏであれば、ステップＳ１に戻る。Ｙｅｓの場合は、ステップＳ３３に移行し、子機コマンドをチェックする。子機コマンドには、子機の識別情報、子機のクレードルアップ、オフフックのような子機状態情報、および子機を左右または回転操作したときの操作コマンド、または操作ボタンによって入力されたコマンドのような子機操作情報が含まれている。
次に、ステップＳ３４では、子機コマンドのチェック結果、画像操作コマンドが含まれているかどうか判断する。Ｎｏであれば、ステップＳ３１に戻る。Ｙｅｓであれば、ステップＳ３５に進み、子機番号と表示情報の照合を行なう。つまり、図６に示した表示情報データマトリックスに基づいて、該当する子機の表示情報を読み出す。例えば、子機２０１の子機番号を認識したときは、情報ファイル名sato.jpgを読み出す。そして、ステップＳ３６では、ステップＳ３５で読み出した表示情報、例えば子機２０１に関連付けた表示情報を使用してスライドショーを実施する。
【００４２】
以上のような、通信本体１００のスライドショー動作に対して、子機はステップＳ４１では待機状態にある。次に、ステップＳ４２では、子機が左右あるいは上下、または回転操作されると、加速度センサー４２または角速度センサー４１から操作信号が出力されたかどうか判断する。子機が操作されず、加速度センサー４２または角速度センサー５１から操作信号が出力されない場合は、ステップＳ４１に戻る。
加速度センサー４２または角速度センサー４１から操作信号が出力されると、ステップＳ４３では、その操作信号は、有効なジェスチャー操作かどうか判断される。ここで有効なジェスチャー操作とは、回転操作である。Ｎｏであれば、ステップＳ４１に戻る。Ｙｅｓであれば、ステップＳ４４に進み、操作コマンドに変換し、同時に子機の固有情報である子機識別情報と、子機の状態情報を付加する。これらのコマンドをステップＳ４５で通信本体１００へ送信する。角速度センサー４１によって、操作速度が検出される場合は、操作速度情報も含めて操作コマンドとする。また、正回転方向あるいは逆回転方向が検出される場合は、これら情報も含めて操作コマンドとして送信する。
【００４３】
＜表示情報を子機に関連付け登録する動作（通信本体の操作による）＞
次に、通信本体１００のデータ記憶部４に格納されている表示情報を子機に関連付ける動作を図１１のフローチャートを使用して説明する。
ステップＳ５１は、通信本体１００の表示部７に写真を一覧表示している状態である。つまり、図１の状態である。次に、ステップＳ５２は、一覧表示している写真から所望の写真を選択する状態である。選択は一枚の写真を選択してもよいし、複数の写真を選択してもよい。また、上側あるいは右側のように範囲選択によって複数の写真を選択してもよい。もし、一覧表示している写真に希望の写真がない場合は、一覧表示をページ送りして、次の一覧表示に変えてもよい。次に、ステップＳ５３は、子機関連付けを行なうために設定動作を起動する。次に、ステップＳ５４では、子機番号を指定する。ここでは子機番号を指定するが、データ記憶部４は、写真と子機の識別情報を関連付ける。つまり、図６の表示情報データマトリックスを作成する。このステップＳ５４の指定動作は、子機を一つ設定することができるが、複数の子機を指定してもよいし、どの子機も選択しない無選択であってもよい。最後に、ステップＳ５５は、ステップＳ５４で作成された表示情報データマトリックスを登録し、確定してこのフローを終了する。以前に表示情報データマトリックスが存在する場合は、上書きして登録する。
【００４４】
＜外部メディアから取得した表示情報を子機に関連付け登録する動作＞
次に、外部メディアから表示情報を取り込み、その表示情報を子機に関連付ける動作を図１２のフローチャートを使用して説明する。
ステップＳ６１は、外部メディアの接続履歴から表示情報を取得するステップである。外部メディアはネットワーク通信部１３がＬＡＮ２２により接続するホームページなどである。あるいはメモリカード接続部１０１に接続されたメモリカードである。更に、ＵＳＢ接続部１１１に接続された記録媒体である。次に、ステップＳ６２は、子機関連付けを行なうための設定を起動する。次のステップＳ６３は、所望の外部メディア、例えば、ホームページ、メモリカードまたは記録媒体を全部関連付ける。次に、ステップＳ６４では、子機番号を指定する。ここでは子機番号を指定するが、データ記憶部４は、写真と子機の識別情報を関連付ける。つまり、図４の表示情報データマトリックスを作成する。このステップＳ６４の指定動作は、子機を一つ設定することができるが、複数の子機を指定してもよいし、どの子機も選択しない無選択であってもよい。最後に、ステップＳ６５は、ステップＳ６４で作成された表示情報データマトリックスを登録し、確定してこのフローを終了する。以前に表示情報データマトリックスが存在する場合は、上書きして登録する。
【００４５】
＜表示情報を子機に関連付け登録する動作（子機の操作による）＞
次に、通信本体１００に格納されている表示情報を子機からの操作によって、その子機に表示情報を関連付ける動作を図１３のフローチャートを使用して説明する。
まず、通信本体１００の動作を説明する。最初のステップＳ７１は、通信本体１００が待機状態にある。次のステップＳ７２は、子機コマンドを受信したか否か判断する。子機コマンドを受信していなければ、ステップＳ７１に戻る。子機コマンドを受信すると、ステップＳ７３に移行し、子機コマンドをチェックする。即ち、子機番号と子機状態をチェックする。次のステップＳ７４は、写真の一覧表示を起動するコマンドを受信したかどうか判断する。Ｎｏであれば、ステップＳ７１に戻る。Ｙｅｓであれば、ステップＳ７５に移行し、画像データの関連情報を照合する。そして、ステップＳ７６は、受信した子機に対応した画像データを一覧表示する。
次に、ステップＳ７７は子機コマンドを受信したか否か判断する。Ｎｏであれば、ステップＳ７１に戻る。Ｙｅｓであれば、ステップＳ７８に進み、子機に関連付けされていない表示情報に、ステップＳ７７で通知のあった子機を関連付ける。そして、ステップＳ７９は、図６に示した表示情報データマトリックスを更新して、このフローを終了する。
【００４６】
一方、表示情報に関連づけを希望する子機は、以下のように動作する。
最初のステップＳ８１は、子機が待機状態である。次に、子機が表示情報に関連づけを希望する場合は、写真一覧モードを起動させる。写真一覧モードの起動は、この実施形態では子機をクレードルから持ち上げてクレードルアップ信号を生成することである。この写真一覧モードに代えて、スライドショーを起動させるモードであってもよい。スライドショーモードの起動は、例えば、シャープ記号（＃）ボタンを押す操作である。このフローにおいて、子機は写真一覧モードまたはスライドショーモードであり、通話中ではないので、シャープ記号（＃）ボタンを押す操作によってスライドショーモードを起動することができる。このようにシャープ記号（＃）ボタンを押す操作以外に、別の機能ボタンを備え、その機能ボタンを押すことにより、メニューが表示され、そのメニュー中にスライドショー起動があるようにしてもよい。このように動作モードを準備した状態で、次のステップＳ８３に進み、通信本体１００へ子機コマンドを送信する。子機コマンドには子機番号及び写真一覧モード起動コマンドを含む。写真一覧モードをスライドショーに代えた場合は、スライドショー起動コマンドを送信する。
次に、ステップＳ８４は、子機関連付けモードを起動する。そして、ステップＳ８５では、起動中の写真一覧表示動作を、子機の指定がない表示情報に子機を関連付ける設定動作を起動する。次にステップＳ８６は、ステップＳ８５の子機の指定がない表示情報に子機を関連付ける設定動作を起動するコマンドを通信本体１００へ通知する。更に、通信本体１００へ表示情報データマトリックスを書き換えるコマンドを通知する。その後、このフローを終了する。
【符号の説明】
【００４７】
１  主制御部
２  ＲＡＭ
３  ＲＯＭ
４  データ記憶部
６  電話・ＦＡＸ制御装置
７  表示部
１５  子機制御装置
４１  角速度センサー
４２  加速度センサー
１００  通信本体
２０１〜２０３  子機
【図１】
2011119993.tif 000003
【図２】
2011119993.tif 000004
【図３】
2011119993.tif 000005
【図４】
2011119993.tif 000006
【図５】
2011119993.tif 000007
【図６】
2011119993.tif 000008
【図７】
2011119993.tif 000009
【図８】
2011119993.tif 000010
【図９】
2011119993.tif 000011
【図１０】
2011119993.tif 000012
【図１１】
2011119993.tif 000013
【図１２】
2011119993.tif 000014
【図１３】
2011119993.tif 000015